(57)【要約】【課題】複数の表示手段を備えた構成において、単一の表示手段を備える場合と比較して、回路規模の増大を招くことなく、複数の表示手段に対してそれぞれ別個の画像を同時に表示可能にする。【解決手段】表示信号発生部６には、第１の表示部１および第２の表示部２が並列に接続される。表示信号発生部６は、ＤＭＡ部５から入力された画像データ（ＲＧＢデータ）を、制御部３より指示された所定のタイミングに従った画像同期信号（水平同期信号、垂直同期信号、画素クロック）とともに、第１の表示部１および第２の表示部２へ並列に供給する。このとき、第１の表示部１と第２の表示部２のそれぞれに表示する画像に関する画像データおよび画像同期信号を、共通の信号線を通して時分割で転送する。【選択図】図１
2007133092.tif 000002
【特許請求の範囲】
【請求項１】
複数の表示手段と、
前記複数の表示手段に画像データおよび画像同期信号を供給する表示信号供給手段とを備え、
前記複数の表示手段は、前記表示信号供給手段から出力される画像データおよび画像同期信号を伝送する信号線に並列に接続され、
前記表示信号供給手段は、前記複数の表示手段に対して共通の前記信号線を通じて時分割に画像データの供給を行う表示装置。
【請求項２】
請求項１に記載の表示装置であって、
前記表示信号供給手段は、前記複数の表示手段におけるそれぞれの表示手段の各表示期間について、垂直方向にライン単位で時分割して画像データの供給を行う表示装置。
【請求項３】
請求項１に記載の表示装置であって、
前記表示信号供給手段は、前記複数の表示手段におけるそれぞれの表示手段の各表示期間について、水平方向に画素単位で時分割して画像データの供給を行う表示装置。
【請求項４】
請求項１に記載の表示装置であって、
前記表示信号供給手段は、表示用の画像データを、この画像データに対応する所定のタイミングに従った画像同期信号とともに、前記共通の信号線から前記複数の表示手段に出力する表示信号発生部を有する表示装置。
【請求項５】
請求項１に記載の表示装置を備える電子装置。
【請求項６】
請求項１に記載の表示装置を備える電話装置。
【請求項７】
請求項１に記載の表示装置を備える情報端末装置。
【請求項８】
請求項１に記載の表示装置を備える移動局装置。
【請求項９】
請求項８に記載の移動局装置を備える移動体通信システム。
【発明の詳細な説明】
【技術分野】
【０００１】
本発明は、複数の表示手段を備えた電子装置等に用いて好適な表示装置に関する。
【背景技術】
【０００２】
近年、折り畳み型携帯電話に代表される電子装置において、複数の表示手段（例えば液晶ディスプレイ）を備えたものが広く普及している。これは例えば、折り畳み型携帯電話において、筐体を折り畳んだ状態でも複数の表示手段の少なくとも一方を視認可能な位置に配置するような構成である。これにより、筐体を折り畳んだままで時刻や電波状態などの各種情報を確認することができ、使用者の利便性向上に寄与する。
【０００３】
しかしながら、電子装置に複数の表示手段を備えることは、単一の表示手段しか持たない場合に比べ、一般に回路規模の増大を招く。この課題に関して、これまでに、複数の表示手段を備えた電子機器の回路規模を削減する方法が提案されている（例えば、特許文献１参照）。
【０００４】
特許文献１で開示された表示コントローラでは、複数の表示手段へ供給する表示データを格納するためのメモリを、複数の表示手段に対して共通に設け、メモリに格納されている表示データを複数の表示手段のいずれに供給するかを切り替えるセレクタを設けている。
【０００５】
【特許文献１】特開２００３−２２９９５３号公報
【発明の開示】
【発明が解決しようとする課題】
【０００６】
上記特許文献１で開示された表示コントローラでは、メモリに格納されている表示データを複数の表示手段のいずれに供給するかを切り替えるセレクタが必要であり、さらに複数の表示手段に対して個別にインタフェース部を設けており、これらが回路規模の増大を招くことになる。また、複数の表示手段に対して表示データを供給する信号線を個別に設ける構成となっており、これも回路規模の増大を招く結果になる。
【０００７】
本発明は、上記事情に鑑みてなされたもので、複数の表示手段を備えた構成において、単一の表示手段を備える場合と比較して、回路規模の増大を招くことなく、複数の表示手段に対してそれぞれ別個の画像を同時に表示することが可能な表示装置を提供することを目的とする。
【課題を解決するための手段】
【０００８】
本発明の表示装置は、複数の表示手段と、前記複数の表示手段に画像データおよび画像同期信号を供給する表示信号供給手段とを備え、前記複数の表示手段は、前記表示信号供給手段から出力される画像データおよび画像同期信号を伝送する信号線に並列に接続され、前記表示信号供給手段は、前記複数の表示手段に対して共通の前記信号線を通じて時分割に画像データの供給を行うものである。
【０００９】
これにより、複数の表示手段を備えた構成において、単一の表示手段を備える場合と比較して、回路規模の増大を招くことなく、複数の表示手段に対してそれぞれ別個の画像を同時に表示することが可能となる。回路規模の増大として、例えば、付加回路を必要としたり、配線する信号本数の増大を招いたりすることなく、複数の表示手段を駆動が可能であり、この表示装置を電子装置を搭載した場合に、複数の表示手段を具備した電子装置の利便性を向上させることが可能である。
【００１０】
また、本発明は、上記の表示装置であって、前記表示信号供給手段は、前記複数の表示手段におけるそれぞれの表示手段の各表示期間について、垂直方向にライン単位で時分割して画像データの供給を行うものとする。
【００１１】
これにより、それぞれの表示手段の各表示期間について、垂直方向にライン単位で時分割することで、複数の表示手段に対して共通の信号線を通じて時分割に画像データの供給を行うことができ、複数の表示手段に対してそれぞれ別個の画像を同時に表示することが可能となる。
【００１２】
また、本発明は、上記の表示装置であって、前記表示信号供給手段は、前記複数の表示手段におけるそれぞれの表示手段の各表示期間について、水平方向に画素単位で時分割して画像データの供給を行うものとする。
【００１３】
これにより、それぞれの表示手段の各表示期間について、水平方向に画素単位で時分割することで、複数の表示手段に対して共通の信号線を通じて時分割に画像データの供給を行うことができ、複数の表示手段に対してそれぞれ別個の画像を同時に表示することが可能となる。
【００１４】
また、本発明は、上記の表示装置であって、前記表示信号供給手段は、表示用の画像データを、この画像データに対応する所定のタイミングに従った画像同期信号とともに、前記共通の信号線から前記複数の表示手段に出力する表示信号発生部を有するものとする。
【００１５】
これにより、表示信号発生部によって、表示用の画像データと、この画像データに対応する所定のタイミングに従った画像同期信号とを、共通の信号線から複数の表示手段に出力することで、信号線に並列に接続された複数の表示手段を同時に駆動し、それぞれに画像を同時表示することが可能となる。
【００１６】
また、本発明は、上記記載の表示装置を備える電子装置を提供する。
また、本発明は、上記記載の表示装置を備える電話装置を提供する。
また、本発明は、上記記載の表示装置を備える情報端末装置を提供する。
また、本発明は、上記記載の表示装置を備える移動局装置を提供する。
また、本発明は、上記記載の移動局装置を備える移動体通信システムを提供する。
【発明の効果】
【００１７】
本発明によれば、複数の表示手段を備えた構成において、単一の表示手段を備える場合と比較して、回路規模の増大を招くことなく、複数の表示手段に対してそれぞれ別個の画像を同時に表示することが可能な表示装置を提供できる。
【発明を実施するための最良の形態】
【００１８】
（第１の実施形態）
図１は本発明の第１の実施形態に係る表示装置の構成を示すブロック図である。
【００１９】
本実施形態の表示装置は、第１の表示部１と、第２の表示部２と、制御部３と、記憶部４と、ＤＭＡ部５と、表示信号発生部６とを主要構成として備えて構成される。
【００２０】
第１の表示部１は、表示信号発生部６から入力される画像データおよび画像同期信号に従って、画像表示を行う。第２の表示部２は、表示信号発生部６から入力される画像データおよび画像同期信号に従って、画像表示を行う。これらの表示部は、例えば液晶表示装置（液晶ディスプレイ）など、二次元の表示領域を有し、この表示領域に文字、アイコン、その他の画像等を表示する表示手段により構成される。
【００２１】
制御部３は、プロセッサ等により構成され、記憶部４およびＤＭＡ部５とバス１００を介して接続されている。この制御部３は、第１の表示部１または第２の表示部２に表示すべき画像データを生成して記憶部４へ書き込むとともに、ＤＭＡ部５の動作の制御や、第１の表示部１および第２の表示部２の表示開始や停止の制御など、本実施形態の表示装置全体の動作を統轄する。
【００２２】
記憶部４は、画像メモリ等により構成され、制御部３が生成した画像データを記憶する。ＤＭＡ（Direct Memory Access）部５は、制御部３の指示に従い、記憶部４に記憶された画像データを読み出して表示信号発生部６へダイレクトメモリアクセス転送する。
【００２３】
表示信号発生部６は、ＤＭＡ部５から入力された画像データを、制御部３より指示された所定のタイミングに従った画像同期信号とともに、第１の表示部１および第２の表示部２へ出力する。
【００２４】
ここで、第１の表示部１および第２の表示部２に対し、画像データおよび画像同期信号の供給は、表示信号発生部６より共通の信号線を通して行われる。つまり、第１の表示部１と第２の表示部２は、同一の信号線に並列に接続される。図１の例では、画像信号としてＲＧＢデータ１０１が、また、画像同期信号として水平同期信号１０２、垂直同期信号１０３、および画素クロック１０４が、表示信号発生部６より第１の表示部１および第２の表示部２へ共通に出力されるようになっている。
【００２５】
このように、本実施形態では、画像データおよび画像同期信号を伝送する信号線に対して複数の表示部を並列に接続した構成となっている。そして、この共通の信号線において、表示信号発生部６から伝送する画像データは、それぞれの表示部に対応する画像データを時分割で供給するようにする。これにより、単一の表示手段を備えた表示装置と比較して、付加回路を必要とせず、且つ、配線する信号本数の増大もなく複数の表示手段を備える構成を可能にすることができる。
【００２６】
図２から図４は、第１の実施形態に係る表示装置の信号タイミングの第１例を示す図である。図２から図４において、横軸は時刻を示している。また、図２から図４において、図１と同一の信号については同一の符号を付す。
【００２７】
これらの図２から図４は、本実施形態の表示装置における表示信号発生部６が第１の表示部１および第２の表示部２へ出力する、画像データおよび画像同期信号のタイミングを示している。
【００２８】
図２は、水平同期信号１０２および垂直同期信号１０３に同期して、ＲＧＢデータ１０１が転送されるタイミングを示す図である。ＲＧＢデータ１０１は、第１の表示部１および第２の表示部２に表示する画像データとなる。
【００２９】
図２において、第１の表示部１に表示される画像データは、第１の垂直表示期間２０に転送される。第１の垂直表示期間２０は、垂直同期信号１０３を基準として第１の垂直バックポーチ２２と第１の垂直フロントポーチ２３によって、その期間が規定される。同様にして、第２の表示部２に表示される画像データは、第２の垂直表示期間２１に転送される。第２の垂直表示期間２１は、垂直同期信号１０３を基準として第２の垂直バックポーチ２４と第２の垂直フロントポーチ２５によって、その期間が規定される。
【００３０】
ここで、第１の垂直バックポーチ２２と、第１の垂直フロントポーチ２３と、第２の垂直バックポーチ２４と、第２の垂直フロントポーチ２５は、第１の垂直表示期間２０と第２の垂直表示期間２１とが時間的に排他となるように設定される。すなわち、第１の表示部１と第２の表示部２へは、同一の信号線であるＲＧＢデータ１０１を通して時分割で画像データが転送されることとなる。
【００３１】
図３は、図２の中に示したＡ期間を拡大した信号タイミングの一例を示したものである。Ａ期間は、第１の垂直表示期間２０の一部であり、この期間に転送されるＲＧＢデータ１０１は、第１の表示部１に表示する画像データとなる。この図３では、水平同期信号１０２および画素クロック１０４に同期して、ＲＧＢデータ１０１が転送されるタイミングを示している。
【００３２】
図３において、第１の表示部１に表示される画像データは、第１の水平表示期間３０に転送される。第１の水平表示期間３０は、水平同期信号１０２を基準として第１の水平バックポーチ３２と第１の水平フロントポーチ３３によって、その期間が規定される。
【００３３】
図４は、図２の中に示したＢ期間を拡大した信号タイミングの一例を示したものである。Ｂ期間は、第２の垂直表示期間２１の一部であり、この期間に転送されるＲＧＢデータ１０１は、第２の表示部２に表示する画像データとなる。この図４では、水平同期信号１０２および画素クロック１０４に同期して、ＲＧＢデータ１０１が転送されるタイミングを示している。
【００３４】
図４において、第２の表示部２に表示される画像データは、第２の水平表示期間３１に転送される。第２の水平表示期間３１は、水平同期信号１０２を基準として第２の水平バックポーチ３４と第２の水平フロントポーチ３５によって、その期間が規定される。
【００３５】
図５および図６は、第１の実施形態に係る表示装置の信号タイミングの第２例を示す図である。図５および図６において、横軸は時刻を示している。また、図５および図６において、図１と同一の信号については同一の符号を付す。
【００３６】
これらの図５および図６は、本実施形態の表示装置における表示信号発生部６が第１の表示部１および第２の表示部２へ出力する、画像データおよび画像同期信号のタイミングを示している。
【００３７】
図５は、水平同期信号１０２および垂直同期信号１０３に同期して、ＲＧＢデータ１０１が転送されるタイミングを示す図である。ＲＧＢデータ１０１は、第１の表示部１および第２の表示部２に表示する画像データとなる。
【００３８】
図５において、第１の表示部１に表示される画像データは、第１の垂直表示期間２０に転送される。第１の垂直表示期間２０は、垂直同期信号１０３を基準として第１の垂直バックポーチ２２と第１の垂直フロントポーチ２３によって、その期間が規定される。同様にして、第２の表示部２に表示される画像データは、第２の垂直表示期間２１に転送される。第２の垂直表示期間２１は、垂直同期信号１０３を基準として第２の垂直バックポーチ２４と第２の垂直フロントポーチ２５によって、その期間が規定される。
【００３９】
図６は、図５の中に示したＣ期間を拡大した信号タイミングの一例を示したものである。Ｃ期間は、第１の垂直表示期間２０および第２の垂直表示期間２１の一部であり、この期間に転送されるＲＧＢデータ１０１は、第１の表示部１および第２の表示部２に表示する画像データとなる。この図６では、水平同期信号１０２および画素クロック１０４に同期して、ＲＧＢデータ１０１が転送されるタイミングを示している。
【００４０】
図６において、第１の表示部１に表示される画像データは、第１の水平表示期間３０に転送される。第１の水平表示期間３０は、水平同期信号１０２を基準として第１の水平バックポーチ３２と第１の水平フロントポーチ３３によって、その期間が規定される。
【００４１】
また、図６において、第２の表示部２に表示される画像データは、第２の水平表示期間３１に転送される。第２の水平表示期間３１は、水平同期信号１０２を基準として第２の水平バックポーチ３４と第２の水平フロントポーチ３５によって、その期間が規定される。
【００４２】
ここで、第１の水平バックポーチ３２と、第１の水平フロントポーチ３３と、第２の水平バックポーチ３４と、第２の水平フロントポーチ３５は、第１の水平表示期間３０と第２の水平表示期間３１とが時間的に排他となるように設定される。すなわち、第１の表示部１と第２の表示部２へは、同一の信号線であるＲＧＢデータ１０１を通して時分割で画像データが転送されることとなる。
【００４３】
上記のように、図２から図４に示した第１例は、第１の表示部１と第２の表示部２の各表示期間を垂直方向にライン単位で時分割した例である。また、図５および図６に示した第２例は、第１の表示部１と第２の表示部２の各表示期間を水平方向に画素単位で時分割した例である。
【００４４】
図２から図４に示した第１例は、水平同期信号１０２の一周期間の画素クロック１０４の数を相対的に少なくできる反面、垂直同期信号１０３の一周期間の水平同期信号１０２の数（ライン数）が相対的に多くなる。一方、図５および図６に示した第２例は、垂直同期信号１０３の一周期間の水平同期信号１０２の数（ライン数）を相対的に少なくできる反面、水平同期信号１０２の一周期間の画素クロック１０４の数が相対的に多くなる。
【００４５】
本実施形態による効果は、いずれの例についても同様であるが、表示部の特性などの装置構成に応じて、それぞれの表示部に供給する信号を時分割する際のタイミングを使い分けることが可能である。
【００４６】
ここで、図２から図６に示した画像データおよび画像同期信号のタイミングを生成する制御は、制御部３によって統轄される。すなわち制御部３は、所定の画像同期信号のタイミングを表示信号発生部６へ指示した上で、第１の表示部１の表示期間において、ＤＭＡ部５を制御して記憶部４から第１の表示部１に表示すべき画像データを読み出し、表示信号発生部６を通して第１の表示部１へ供給する。同様にして制御部３は、第２の表示部２の表示期間において、ＤＭＡ部５を制御して記憶部４から第２の表示部２に表示すべき画像データを読み出し、表示信号発生部６を通して第２の表示部２へ供給する。
【００４７】
このとき、制御部３は、第１の表示部１および第２の表示部２に表示すべき画像データを生成してそれぞれ記憶部４の別個の領域へ書き込むとともに、ＤＭＡ部５が記憶部４から画像データを読み出す領域として、制御部３が先に生成した各表示部用の画像データが書き込まれた領域を指示する。これによって、第１の表示部１と第２の表示部２にそれぞれ任意の画像を同時に表示することが可能となる。
【００４８】
さらに、制御部３は、ＤＭＡ部５が記憶部４から画像データを読み出す領域として、第１の表示部１と第２の表示部２に対し同一の領域を指示すれば、各表示部に同一の画像を同時に表示することが可能になる。このように、本実施形態の表示装置は、複数の表示部に対して様々な画像表示に柔軟に対応することが可能である。
【００４９】
また、第１の表示部１および第２の表示部２の表示期間を規定する垂直および水平の各フロントポーチおよびバックポーチは、表示部毎に固有の値を予め定めておいても良いし、あるいは、制御部３が各表示部に指示することで規定するようにしても良い。
【００５０】
垂直および水平の各フロントポーチおよびバックポーチを表示部毎に固有の値を予め定めておく場合は、制御部３は表示部毎に定められた値に従ったタイミングの信号を発生するよう、表示信号発生部６へ指示を行う。この場合、第１の表示部１を制御する制御信号１０５と、第２の表示部２を制御する制御信号１０６は、例えば単純な１本の信号線の信号として、各表示部の表示のオンとオフを各制御信号の論理で指示するようにすれば良い。
【００５１】
一方、垂直および水平の各フロントポーチおよびバックポーチを制御部３が各表示部に指示することで規定する場合は、制御部３が表示信号発生部６と第１の表示部１と第２の表示部２に同一の設定を行うことで、各表示部の表示期間を一元的に管理する。この場合、第１の表示部１を制御する制御信号１０５と、第２の表示部２を制御する制御信号１０６は、例えばシリアルインタフェースのように、複数ビットの情報を制御部３が各表示部に指示できるような信号とすれば良い。
【００５２】
また、当然のことながら、本実施形態の表示装置では、第１の表示部１と第２の表示部２の一方のみを表示することも可能である。この場合、それぞれの表示部への制御信号１０５および制御信号１０６の制御によって、一方の表示部のみ表示をオンし、制御部３はオンしている表示部に対応した表示期間のみ表示信号発生部６から画像データを出力するようにする。
【００５３】
なお、第１の表示部と第２の表示部の解像度（垂直方向のライン数×水平方向の画素数）は、それぞれ独立に任意の解像度とすることが可能である。
【００５４】
さらに、上記第１の実施形態では、具備する表示部の数として２個の例を示したが、表示部が３個以上の場合でも、これらを同一の信号線に並列に接続して、時分割に画像データの供給をすることで、同様の効果を得ることができる。
【００５５】
また、上記第１の実施形態では、各表示部の表示期間を規定するために、垂直および水平の各フロントポーチおよびバックポーチを使用する例を示したが、これに限定されるものではない。各表示部の表示期間をそれぞれ一意に定めることができれば、どのような規定方法であっても同様の効果が得られる。例えば、垂直方向の表示期間の規定を、垂直フロントポーチまたは垂直バックポーチのいずれか一方とデータ転送ライン数（水平同期信号の周期の数）としても良い。同様に、水平方向の表示期間の規定を、水平フロントポーチまたは水平バックポーチのいずれか一方とデータ転送数（画素クロックの数）としても良い。
【００５６】
上述したように、本実施形態の表示装置では、表示信号発生部６が出力する画像データおよび画像同期信号に対して複数の表示部を並列に接続し、それぞれの表示部に対応する画像データを時分割で供給することによって、単一の表示手段を備えた表示装置と比較して、付加回路を必要とせず、且つ、配線する信号本数の増大もなく複数の表示手段を備えることが可能となる。また、複数の表示手段に対して別個の画像を同時に表示することが可能である。このため、複数の表示手段を具備した電子装置の利便性向上に寄与する。
【００５７】
（第２の実施形態）
第２の実施形態として、第１の実施形態の表示装置を具備した電子装置である携帯電話装置の構成例を示す。図７は、本発明の第２の実施形態に係る表示装置を具備した携帯電話装置の構成を示すブロック図である。図７において、図１と同一のブロックおよび信号については同一の符号を付し、詳しい説明を省略する。
【００５８】
本実施形態の携帯電話装置は、第１の表示部１と、第２の表示部２と、制御部３Ａと、記憶部４と、ＤＭＡ部５と、表示信号発生部６と、アンテナ７０と、ＲＦ部７１と、ベースバンド信号処理部７２と、音声コーデック部７３と、レシーバ７４と、マイク７５とを主要構成として備えて構成される。
【００５９】
アンテナ７０は、無線信号を受信してＲＦ部７１に受信信号として出力し、また、ＲＦ部７１から出力された送信信号を送信する。ＲＦ部７１は、アンテナ７０から出力された受信信号をベースバンド周波数にダウンコンバートしてベースバンド信号処理部７２に出力し、また、ベースバンド信号処理部７２から出力された送信信号を無線周波数にアップコンバートしてアンテナ７０に出力する。ベースバンド信号処理部７２は、ＲＦ部７１から出力された受信信号を復調して制御部３Ａに出力し、また、制御部３Ａから出力された送信信号を変調してＲＦ部７１に出力する。
【００６０】
制御部３Ａは、第１の実施形態の制御部３と同様の表示制御に関する機能を有している。さらに、制御部３Ａは、ベースバンド信号処理部７２から出力された受信信号である音声符号化データを音声コーデック部７３に出力する。また、制御部３Ａは、音声コーデック部７３から出力された音声符号化データを送信信号としてベースバンド信号処理部７２に出力する。
【００６１】
音声コーデック部７３は、制御部３Ａから出力された音声符号化データを復号し、得られた音声信号をレシーバ７４に出力し、また、マイク７５から出力された音声信号を符号化し、得られた音声符号化データを制御部３Ａに出力する。レシーバ７４は、音声コーデック部７３から出力された音声信号を音声として出力する。マイク７５は音声を入力して音声信号として音声コーデック部７３に出力する。
【００６２】
次に、本実施形態の携帯電話装置の動作について説明する。アンテナ７０で受信した受信信号は、ＲＦ部７１、ベースバンド信号処理部７２を介して制御部３Ａへ出力される。そして、受信した音声符号化データが制御部３Ａにより音声コーデック部７３に出力され、音声コーデック部７３において音声符号化データから音声信号が生成され、レシーバ７４に出力される。これにより、受話音声がレシーバ７４から再生出力される。
【００６３】
また、マイク７５から入力された音声信号は、音声コーデック部７３において符号化され、制御部３Ａへ出力される。そして、音声符号化データが制御部３Ａにより送信信号としてベースバンド信号処理部７２に出力され、ＲＦ部７１、アンテナ７０を通して送信される。これにより、送話音声の無線通信信号がアンテナ７０から出力される。
【００６４】
また、第１の実施形態で説明したものと同様の機能により、第１の表示部１と第２の表示部２には、制御部３Ａ、記憶部４、ＤＭＡ部５、表示信号発生部６の動作によって別個の画像が同時に表示される。
【００６５】
このように、本実施形態の表示装置を具備した電子装置である携帯電話装置では、表示信号発生部６が出力する画像データおよび画像同期信号に対して複数の表示部を並列に接続し、それぞれの表示部に対応する画像データを時分割で供給することによって、単一の表示手段を備えた表示装置と比較して、付加回路を必要とせず、且つ、配線する信号本数の増大もなく複数の表示手段を備えることが可能となる。また、複数の表示手段に対して別個の画像を同時に表示することが可能である。このため、複数の表示手段を具備した電子装置の利便性向上に寄与する。
【００６６】
本実施形態の表示装置を具備した携帯電話装置の具体的な利用例としては、２つの表示部の各画面に別個の画像を表示するゲーム用途、発着信時に第１の表示部に電話番号を表示し同時に第２の表示部にアニメーション表示をするような表示効果用途、第１の表示部でＴＶや動画像コンテンツを視聴しながら第２の表示部に時計や発着信データを表示するような情報提供用途、カメラ撮影時に撮影者側を向いた第１の表示部と被写体側を向いた第２の表示部に同時にプレビュー画像を表示することで被写体となっている人物にも撮影画像を視認可能とする機能を実現する用途など、利用者の利便性を向上する様々な用途が考えられ、これらの機能に本実施形態を応用することができる。
【００６７】
なお、本発明の表示装置は、電子装置、電話装置、情報端末装置、移動局装置、移動体通信システムなど、複数の表示手段を備える種々の装置に適用可能である。
【００６８】
上述したように、本実施形態によれば、複数の表示手段を具備した電子装置に好適な表示装置において、単一の表示手段を備えた表示装置と比較して、付加回路を必要とせず、且つ、配線する信号本数の増大もなく複数の表示手段を備えることを可能とすると同時に、複数の表示手段に対して別個の画像を同時に表示することができる。これにより、複数の表示手段を具備した電子装置の利便性を向上することができる。
【００６９】
また、本実施形態によれば、複数の表示手段を具備した電子装置、電話装置、情報端末装置、移動局装置、移動体通信システム等の小型化を図ることが可能となる。
【産業上の利用可能性】
【００７０】
本発明は、複数の表示手段を備えた構成において、単一の表示手段を備える場合と比較して、回路規模の増大を招くことなく、複数の表示手段に対してそれぞれ別個の画像を同時に表示することが可能となる効果を有し、複数の表示手段を備えた電子装置等に用いて好適な表示装置等に有用である。
【図面の簡単な説明】
【００７１】
【図１】本発明の第１の実施形態に係る表示装置の構成を示すブロック図
【図２】第１の実施形態に係る表示装置の信号タイミングの第１例を示す図
【図３】第１の実施形態に係る表示装置の信号タイミングの第１例を示す図
【図４】第１の実施形態に係る表示装置の信号タイミングの第１例を示す図
【図５】第１の実施形態に係る表示装置の信号タイミングの第２例を示す図
【図６】第１の実施形態に係る表示装置の信号タイミングの第２例を示す図
【図７】本発明の第２の実施形態に係る表示装置を具備した携帯電話装置の構成を示すブロック図
【符号の説明】
【００７２】
１  第１の表示部
２  第２の表示部
３，３Ａ  制御部
４  記憶部
５  ＤＭＡ部
６  表示信号発生部
２０  第１の垂直表示期間
２１  第２の垂直表示期間
２２  第１の垂直バックポーチ
２３  第１の垂直フロントポーチ
２４  第２の垂直バックポーチ
２５  第２の垂直フロントポーチ
３０  第１の水平表示期間
３１  第２の水平表示期間
３２  第１の水平バックポーチ
３３  第１の水平フロントポーチ
３４  第２の水平バックポーチ
３５  第２の水平フロントポーチ
７０  アンテナ
７１  ＲＦ部
７２  ベースバンド信号処理部
７３  音声コーデック部
７４  レシーバ
７５  マイク
１００  バス
１０１  ＲＧＢデータ
１０２  水平同期信号
１０３  垂直同期信号
１０４  画素クロック
１０５  制御信号
１０６  制御信号
【図１】
2007133092.tif 000003
【図２】
2007133092.tif 000004
【図３】
2007133092.tif 000005
【図４】
2007133092.tif 000006
【図５】
2007133092.tif 000007
【図６】
2007133092.tif 000008
【図７】
2007133092.tif 000009